(57)【特許請求の範囲】
【請求項１】
皿状部材と、該皿状部材の開口面側に合わせて着脱可能に組み合わせセットされるカバー状部材とを備え、皿状部材およびカバー状部材内に遊技機構成装置を制御する制御基板が収容される遊技機用の基板ケースにおいて、
前記皿状部材およびカバー状部材の一方に設けられた連結部と、
前記皿状部材およびカバー状部材の他方に設けられ、前記皿状部材およびカバー状部材を組み合わせセットした際に前記連結部に底面側を臨ませた有底筒状部と、
前記有底筒状部内に頭部を臨ませて該有底筒状部と前記連結部とを連結固定する固定具と、
前記有底筒状部に挿入され、該有底筒状部から抜け止め状態で装着される封印蓋とを備え、
前記封印蓋には、前記有底筒状部に対する挿入側に開口する空間部が設けられ、
前記封印蓋を有底筒状部に装着した際に、前記固定具における頭部の少なくとも一部が前記空間部に収容されるよう構成され、
前記封印蓋における前記空間部を画成する周壁は、径方向に弾性変形可能な複数の弾性片から構成されて、前記空間部に収容される前記固定具の頭部によって前記弾性片が径方向外側に弾性変形可能に構成される
ことを特徴とする遊技機用の基板ケース。
【発明の詳細な説明】
【技術分野】
【０００１】
本発明は、遊技機に設けられる各種電気的部品を制御する制御基板を収容する遊技機用の基板ケースに関するものである。
【背景技術】
【０００２】
遊技機の代表例であるパチンコ機やアレンジボール機では、機内にセットされる遊技盤に、遊技部品としての各種の入賞器具や入球器具が配置される一方、電子制御部品としての図柄表示装置や電動式入賞装置、その他に検出スイッチ,電磁ソレノイド,ランプ類等が配置され、遊技盤内で展開されるパチンコゲームに合わせた効果音や装飾光を含む電子制御ゲームを現出し得るようになっている。そして、これら各電気的部品類は、基板ケースに収容されて夫々の電子制御ゲームに適した純正の制御基板に集約的に結線されて、主としてゲーム中に発生および成立される設定条件時や特別遊技状態時等において、夫々の可動条件に従って作動制御されるようになっている。この制御基板は、当該のメーカで設計・構成した通りのソフトプログラム内容で、かつ試験機関での厳正な試験に適合した同一内容であることの条件で正常に使用することが義務付けられている。
【０００３】
前記基板ケースは、互いに分離される皿状部材およびカバー状部材から構成され、これら皿状部材とカバー状部材内に前記制御基板が内蔵セットされて単一で取扱い得る箱型単位のユニット状に構成されている。そして、適正な制御内容(ソフトプログラム)で正常に使用することを前提とした不正改造・変更防止対策の一例として、前記皿状部材とカバー状部材との整合部分に筒状部を夫々一体的に形成し、これら筒状部を、不正防止目的で開発されて当該メーカ(専用担当者)のみで管理されるワンウェイネジ、特殊ピン、鋲等の専用固定具で固定することにより、前記皿状部材とカバー状部材とを組み付けるようにした技術が提案されている(例えば、特許文献１参照)。
【先行技術文献】
【特許文献】
【０００４】
【特許文献１】特開２００４−４９４２８号公報
【発明の概要】
【発明が解決しようとする課題】
【０００５】
しかしながら、皿状部材とカバー状部材とを固定した専用固定具の頭部は、筒状部内で露出しているため、外部から筒状部内に挿入した特殊工具で頭部を把持して専用固定具を弛み外したり引き抜く不正行為が行われるおそれがあり、より不正防止効果の高い基板ケースが求められている。
【０００６】
そこで本発明は、従来の技術に係る遊技機用の基板ケースに内在する前記課題に鑑み、これを好適に解決するべく提案されたものであって、不正防止効果の高い遊技機用の基板ケースを提供することを目的とする。
【課題を解決するための手段】
【０００７】
前記課題を解決し、所期の目的を達成するため、本願の請求項１に係る発明は、
皿状部材(32)と、該皿状部材(32)の開口面側に合わせて着脱可能に組み合わせセットされるカバー状部材(33)とを備え、皿状部材(32)およびカバー状部材(33)内に遊技機構成装置(23)を制御する制御基板(26)が収容される遊技機用の基板ケースにおいて、
前記皿状部材(32)およびカバー状部材(33)の一方に設けられた連結部(34)と、
前記皿状部材(32)およびカバー状部材(33)の他方に設けられ、前記皿状部材(32)およびカバー状部材(33)を組み合わせセットした際に前記連結部(34)に底面側を臨ませた有底筒状部(35)と、
前記有底筒状部(35)内に頭部(37b,38b)を臨ませて該有底筒状部(35)と前記連結部(34)とを連結固定する固定具(37,38)と、
前記有底筒状部(35)に挿入され、該有底筒状部(35)から抜け止め状態で装着される封印蓋(44)とを備え、
前記封印蓋(44)には、前記有底筒状部(35)に対する挿入側に開口する空間部(48)が設けられ、
前記封印蓋(44)を有底筒状部(35)に装着した際に、前記固定具(37,38)における頭部(37b,38b)の少なくとも一部が前記空間部(48)に収容されるよう構成され、
前記封印蓋(44)における前記空間部(48)を画成する周壁は、径方向に弾性変形可能な複数の弾性片(46,47)から構成されて、前記空間部(48)に収容される前記固定具(37,38)の頭部(37b,38b)によって前記弾性片(46,47)が径方向外側に弾性変形可能に構成されることを要旨とする。
【０００８】
このように、有底筒状部内に封印蓋を装着し、該封印蓋で固定具の頭部を覆うことで、不正を企てる者が固定具に対して直接アクセスするのを防止して不正行為を抑制することができる。また、固定具における頭部の少なくとも一部を封印蓋の空間部に収容するので、該頭部へのアクセスを更に困難にすることができ、より高い不正防止効果が得られる。
また、弾性片の弾性変形によって該弾性片を固定具の頭部に密着させることができるので、封印蓋と頭部との間からの不正工具の頭部側への侵入防止効果が高く、高い不正防止効果が得られる。
【０００９】
本願には、次のような技術的思想が含まれている。
前記封印蓋(44)における前記空間部(48)を画成する内面に、開口端側に向かうにつれて拡開するテーパ面(46a,47a)が設けられ、
前記固定具(37,38)における頭部(37b,38b)の一部が前記空間部(48)に収容された状態で、該頭部(37b,38b)の表面が前記テーパ面(46a,47a)に当接するよう構成されることを要旨とする。
このように、固定具の頭部に封印蓋のテーパ面を当接するので、封印蓋と頭部との間から不正のための工具が頭部側に侵入されるのを抑制することができる。
【００１１】
本願には、次のような技術的思想が含まれている。
前記弾性片(46,47)の外側に係合部(49,50)が設けられると共に、前記有底筒状部(35)の内側に、前記係合部(49,50)と係合して前記封印蓋(44)の有底筒状部(35)からの抜き外し方向への移動を規制する被係合部(41,42)が設けられることを要旨とする。
このように、係合部と被係合部とによって有底筒状部から封印蓋が抜き外されるのを防ぐことができ、不正防止効果が高い。
【００１２】
本願には、次のような技術的思想が含まれている。
前記封印蓋(44)は、前記空間部(48)に前記固定具(37,38)の頭部(37b,38b)が収容された状態で、前記有底筒状部(35)に接着固定されることを要旨とする。
このように、有底筒状部に封印蓋が接着固定されるので、外部から固定具にアクセスするまでに要する時間を稼ぐことができ、より高い不正防止効果が得られる。
【発明の効果】
【００１３】
本発明に係る遊技機用の基板ケースによれば、固定具にアクセスするのを困難にして、高い不正防止効果が得られる。
【図面の簡単な説明】
【００１４】
【図１】本発明の好適な実施例に係るパチンコ機を示す背面図である。
【図２】実施例に係る液晶表示装置を背面側から示す概略斜視図である。
【図３】実施例に係る表示制御装置を示す概略斜視図である。
【図４】実施例に係る表示用基板ケースを、ビスによる結合部を一部破断して示す要部概略斜視図である。
【図５】実施例に係る表示用基板ケースにおけるビスによる結合部を封印蓋を装着する前の状態で示す断面図である。
【図６】実施例に係る表示用基板ケースにおけるビスによる結合部を封印蓋を装着した状態で示す断面図である。
【図７】実施例に係る表示用基板ケースにおけるビスによる結合部を、封印蓋を装着する前の状態で図５と直交する方向で破断して示す断面図である。
【図８】実施例に係る表示用基板ケースにおけるビスによる結合部を、封印蓋を装着した状態で図６と直交する方向で破断して示す断面図である。
【図９】実施例に係る表示用基板ケースにおけるカシメ鋲による結合部を封印蓋を装着する前の状態で示す断面図である。
【図１０】実施例に係る表示用基板ケースにおけるカシメ鋲による結合部を封印蓋を装着した状態で示す断面図である。
【図１１】実施例に係る表示用基板ケースにおけるカシメ鋲による結合部を、封印蓋を装着する前の状態で図９と直交する方向で破断して示す断面図である。
【図１２】実施例に係る表示用基板ケースにおけるカシメ鋲による結合部を、封印蓋を装着した状態で図１０と直交する方向で破断して示す断面図である。
【図１３】実施例に係る封印蓋を示す図であって、(ａ)は平面図、(ｂ)は底面図である。
【図１４】(ａ),(ｂ)は、実施例に係る封印蓋を異なる方向から見た概略斜視図である。
【図１５】実施例に係る表示用基板ケースを分解した状態を後側から見た要部概略斜視図である。
【図１６】実施例に係る表示用基板ケースにおける接続部材の配設部位を示す要部横断面図である。
【図１７】実施例に係る表示用基板ケースにおける接続部材の配設部位を示す要部縦断面図である。
【図１８】実施例に係る表示制御装置を液晶表示装置に取り付けた状態で示す要部横断面図である。
【図１９】実施例に係る表示制御装置を液晶表示装置に取り付けた状態で示す要部縦断面図である。
【発明を実施するための形態】
【００１５】
次に、本発明に係る遊技機用の基板ケースにつき、好適な実施例を挙げて、添付図面を参照しながら、以下詳細に説明する。なお実施例では、遊技球としてパチンコ球を用いるパチンコ機を、遊技機の一例として説明する。また、以下の説明において左・右とは、特に断りのない限り、図１に示すようにパチンコ機を背面側から見た場合において指称するものとする。
【実施例】
【００１６】
図１に示す如く、実施例のパチンコ機１０は、基本的な主要構成として、矩形枠状に形成されて遊技店の図示しない設置枠台に固定される固定枠としての外枠１１に対して開閉および着脱が可能に組み付けられた本体枠としての中枠１２と、この中枠１２に前側から着脱交換可能に収容セットされる遊技盤(図示しない)と、該中枠１２の後側に配設されて前記遊技盤の背面側を覆う設置部材１３等を備えており、これら主要構成体の各部に各種の装置,器具並びに部材等が装着されている。なお図示しないが、中枠１２の前面側には、該中枠１２に配設された遊技盤を透視保護するガラス板等の透明部材が組み付けられた前枠と、パチンコ球を貯留する上球受け皿とを横開き形態で開閉可能に組み付けてある。また、上球受け皿の下方には、上球受け皿から溢れたパチンコ球を貯留し得る下球受け皿(図示せず)が配設されている。
【００１７】
前記外枠１１には、図１に示す如く、パチンコ球を貯留可能な球タンク１４、該球タンク１４に貯留したパチンコ球を一列に整列するタンクレール１５、上下の球受け皿や球回収樋等に連通する球流通路が形成される機能部材１６が設けられ、タンクレール１５と機能部材１６に形成された球流通路とは球通路ユニット１７によって連通するよう構成されている。前記中枠１２の後側には、パチンコ機１０の電源制御を行う電源基板を備えた電源装置１８、前記球通路ユニット１７に配設した球払出し装置１９を駆動制御する払出し制御装置(制御装置)２０等の各種制御装置が配設されている。これらの各装置１８,２０は、前記設置部材１３の後側に配設されるメイン制御装置(制御装置)２１に配線接続され、該メイン制御装置２１からの制御信号に基づいて所定の制御を実行するようになっている。なお、メイン制御装置２１は、パチンコ機１０の全体を制御するメイン制御基板(制御基板)をメイン用基板ケース(基板ケース)２２に収容して構成される。前記電源装置１８にアース線(図示せず)の一端が接続され、該アース線の他端は図示しない遊技店の島にアース接続されている。また、前記電源装置１８は、前記中枠１２の金属部分に図示しないリード線を介して電気的に接続(接地)している。すなわち、前記中枠１２は、前記電源装置１８を介して全体として接地されている。実施例では、電源装置１８が、パチンコ機１０を構成する各種装置や部材等を接地する接地手段として機能する。なお、払出し制御装置２０は、球払出し装置１９を制御する払出し制御基板(制御基板)を払出し用基板ケース(基板ケース)に収容して構成されている。
【００１８】
前記設置部材１３の後側には、液晶表示装置(図柄表示装置)２３が取り付けられており、設置部材１３に開設した開口部(図示せず)を介して液晶表示装置２３の表示部が前側に臨んで、該表示部をパチンコ機１０の前側から視認可能に構成される。液晶表示装置２３は、遊技盤に配設された始動入賞口(図示せず)へのパチンコ球の入賞を契機として演出用の図柄(飾図という場合もある)を表示部に変動表示させる図柄変動演出を行い、始動入賞口への入賞を契機とした当り判定の結果に対応する図柄組み合わせで複数の飾図を停止表示するよう構成される。また、液晶表示装置２３では、図柄変動に関連して実行される各種の表示演出を表示部に表示し得るようになっている。
【００１９】
前記液晶表示装置２３は、各種飾図を表示可能な液晶パネル(表示器)２４が表示用ケース体２５に収容されたユニット部材であって、該表示用ケース体２５の後面に、液晶パネル２４に表示される表示を制御する表示制御基板(制御基板)２６を表示用基板ケース(基板ケース)２７に収容した表示制御装置(制御装置)２８およびパチンコ機１０が備えるスピーカや各種の電飾装置を制御する演出制御基板(制御基板)を演出用基板ケース(基板ケース)３０に収容した演出制御装置(制御装置)２９が着脱自在に取り付けられている。実施例では、図１に示す如く、演出制御装置２９と表示制御装置２８とが左右に並んで液晶表示装置２３の後側に取り付けられている。表示制御装置２８は演出制御装置２９に配線接続されて、該演出制御装置２９の制御信号に基づいて、表示制御装置２８が所定の制御を実行するよう構成される。また、演出制御装置２９は、前記メイン制御装置２１に配線接続され、該メイン制御装置２１からの制御信号に基づいて演出制御装置２９が制御を実行するよう設定される。また、演出制御装置２９は、前記電源装置１８に電気的に接続されている。実施例では、前記設置部材１３に配設された液晶表示装置２３が、表示制御装置２８や演出制御装置２９の設置部として構成されている。
【００２０】
ここで、実施例では、前記表示制御装置２８における表示制御基板２６の制御対象となる液晶表示装置２３が、表示制御基板２６が制御する遊技機構成装置である。また、演出制御装置２９については、演出制御基板の制御対象となるスピーカ、電飾装置および表示制御装置２８が、演出制御基板が制御する遊技機構成装置となり、払出し制御装置２０については、払出し制御基板の制御対象となる球払出し装置１９が、払出し制御基板が制御する遊技機構成装置となる。更に、前記メイン制御装置２１におけるメイン制御基板の制御対象となる各制御装置２０、２９等が、メイン制御基板が制御する遊技機構成装置となる。すなわち、遊技機構成装置とは、パチンコ機１０を構成する装置であって、制御装置を構成する制御基板によって制御される対象となる装置の総称である。なお、メイン用基板ケース２２、払出し用基板ケース、演出用基板ケース３０等の各種基板ケース２２,３０は、後述する表示用基板ケース２７と同様に、皿状部材とカバー状部材とを組み合わせセットすることで、内部に対応する制御基板を収容する収容空間を画成するよう構成されている。
【００２１】
前記液晶パネル２４は、後側および外周縁が金属製の保護部材３１で囲繞された状態で、合成樹脂製の前記表示用ケース体２５に収容されている。この保護部材３１は、鉄やその他の金属等の導電性を有する材料から形成されて、液晶パネル２４に対する静電気保護を図っている。また、表示用ケース体２５を構成する後壁には、図２に示す如く、前記保護部材３１を後側に露出する露出用開口２５ａが開設されており、該露出用開口２５ａを介して前記表示制御装置２８に設けられた後述する接続部材５３が保護部材３１に接触するよう構成される(図１８,図１９参照)。また、保護部材３１は、液晶用リード線(図示せず)を介して前記中枠１２の金属部分に電気的に接続されており、該保護部材３１は、液晶用リード線および中枠１２を介して前記電源装置１８に接地されている。電源装置１８は、前述したように遊技店の島に接地されており、保護部材３１も電源装置１８を介して遊技店の島に接地される。すなわち、実施例では、表示制御装置２８における保護部材３１が、接地手段としての電源装置１８に電気的に接続するアース部として構成されている。
【００２２】
前記表示用ケース体２５には、図２に示すように、前記表示制御装置２８の取着領域における下側に、左右に離間して一対の係合受け部２５ｂ,２５ｂが設けられると共に、該取着領域の上側に、後方へ突出する支持部２５ｃが設けられている。そして、表示制御装置２８に設けられた後述する差込み部３３ｃ,３３ｃを係合受け部２５ｂ,２５ｂに係合したもとで、表示制御装置２８に設けられた連結具５２を支持部２５ｃに係合することで、表示用ケース体２５の後側に表示制御装置２８が取り付けられる(図１参照)。また、表示用ケース体２５には、前記演出制御装置２９の取着領域にも同様に係合受け部２５ｂ,２５ｂおよび支持部２５ｃが設けられ、同じ構造によって演出制御装置２９が表示用ケース体２５に取り付けられるようになっている。
【００２３】
(表示制御装置２８について)
前記表示制御装置２８の表示用基板ケース２７は、前記表示制御基板２６を収容保護した状態でケース単位で取扱い得るよう構成されて、前記液晶表示装置(設置部)２３に対して着脱自在に取り付けられる。この表示用基板ケース２７は、前記液晶表示装置２３の後面に対向して装着セットされる皿状部材３２と、この皿状部材３２の開口面側に合わせて着脱可能に組み付けセットされるカバー状部材３３とから基本的に構成され、組み付けセット状態で内部に表示制御基板２６を収容する収容空間Ｓを画成するようになっている。実施例では、皿状部材３２およびカバー状部材３３は、共に透明な合成樹脂材により一体成型されて、前記表示制御基板２６を皿状部材３２内に敷設状態で収容すると共に前記カバー状部材３３で覆蓋保護するようになっている(図１６〜図１９参照)。皿状部材３２およびカバー状部材３３を構成する合成樹脂材としては、例えばポリカーボネート(ＰＣ)が挙げられるが、その他の合成樹脂材であってもよい。なお、表示制御基板２６は、皿状部材３２に対して複数のねじによって固定された状態で収容空間Ｓに収容されるようになっている。
【００２４】
前記皿状部材３２とカバー状部材３３とは、夫々の開口側縁部に形成した連結手段を利用して組み付け連結されるようになっている。連結手段は、図４〜図１２に示すように、前記皿状部材３２の上側縁部３２ａに一体的に成型配置した連結部３４と、カバー状部材３３の対応する上側縁部３３ａに一体的に成型配置した有底筒状部(連結部)３５と、これら連結部３４と有底筒状部３５とを連結固定する固定具３７,３８とから構成される。実施例では、連結部３４と有底筒状部３５とからなる結合部３６が、前記表示用基板ケース２７の左右に離間して複数(実施例では２つ)配置されている(図３参照)。そして、各結合部３６において、連結部３４と有底筒状部３５とを夫々固定具３７,３８で連結固定することで、皿状部材３２とカバー状部材３３とが不正開放不能な状態で連結固定されるようになっている。実施例では、固定具３７,３８として、固定形態が異なる２種類の固定具３７,３８が用いられている。具体的に、一方の結合部３６の連結部３４と有底筒状部３５とを連結固定する固定具３７としてビス３７(図４〜図８参照)が用いられると共に、他方の結合部３６の連結部３４と有底筒状部３５とを連結固定する固定具３８としてカシメ鋲３８(図９〜図１２参照)が用いられている。なお、ビス３７で連結固定される一方の結合部３６およびカシメ鋲３８で連結固定される他方の結合部３６の構成は同じであるが、一方を第１結合部３６、他方を第２結合部３６と区別して指称する場合がある。
【００２５】
前記ビス３７は、図４〜図８に示す如く、ねじ軸部(軸部)３７ａの軸方向一端に、該軸部３７ａより大径の頭部３７ｂが形成されたものであって、該ビス３７は、前記連結部３４に設けられた後述するカシメ孔３４ａにねじ軸部３７ａをねじ込むことで、該連結部３４と有底筒状部３５とを連結固定するよう構成される。なお、実施例では、前記ビス３７として、ドライバー等の工具によって締付け方向および弛み方向への回転が可能な通常ビスが用いられているが、頭部３７ｂに、ドライバー等の工具によって締付け方向の回転のみが許容される溝が形成されて、工具による弛み外しが不能な特殊ビスを採用することができる。また、前記カシメ鋲３８は、図９〜図１２に示す如く、ねじ山が形成された軸部３８ａの軸方向一端に、該軸部３８ａより大径の頭部３８ｂが形成されたものであって、該カシメ鋲３８は、前記連結部３４のカシメ孔３４ａに軸部３８ａを圧入することで該連結部３４と有底筒状部３５とを連結固定するよう構成される。なお、前記ビス３７およびカシメ鋲３８の頭部形状は、後述する封印蓋４４の弾性片４６,４７が頭部表面に押し付けられた際に、該弾性片４６,４７を径方向外側に弾性変形させ易い丸頭や軸部側が円錐形の皿頭等が好適に用いられる。
【００２６】
(連結部３４について)
前記連結部３４は、図４〜図１２に示す如く、前記皿状部材３２の上側縁部３２ａから延出した皿側接合部(接合部)３２ｂを介して該皿状部材３２に一体的に連設される。そして、皿側接合部３２ｂを切断することで、連結部３４は皿状部材３２から分離可能に構成されている。連結部３４は、皿側接合部３２ｂから皿状部材３２における開口側(カバー状部材３３側)に延出する筒状に形成されて、該開口側に開放するカシメ孔３４ａが設けられている。そして、該カシメ孔３４ａに、前記ビス３７またはカシメ鋲３８がねじ込まれたり圧入されるようになっている。なお、実施例のカシメ孔３４ａの内周面には雌ねじは形成されておらず、ビス３７はねじ切りしながらカシメ孔３４ａにねじ込まれるよう構成される。また、軸部３８ａにねじ山が形成された実施例のカシメ鋲３８は、カシメ孔３４ａに回転しながら圧入される。すなわち、カシメ孔３４ａの内径寸法は、ビス３７のねじ軸部３７ａおよびカシメ鋲３８の軸部３８ａの直径より小さく設定されており、ビス３７がねじ込まれた状態およびカシメ鋲３８が圧入された状態で、ねじ軸部３７ａおよび軸部３８ａがカシメ孔３４ａ内に強固に固定されるようになっている。
【００２７】
(有底筒状部３５について)
前記有底筒状部３５は、前記カバー状部材３３の上側縁部３３ａから延出したカバー側接合部(接合部)３３ｂを介してカバー状部材３３に一体的に連設され、該カバー側接合部３３ｂを切断することによりカバー状部材３３から分離可能に構成される。カバー側接合部３３ｂは、図４〜図１２に示す如く、前記皿状部材３２とカバー状部材３３とを組み合わせセットした状態で、連結部３４を囲繞可能な角筒状に形成されており、該カバー側接合部３３ｂによって連結部３４におけるカシメ孔３４ａが外部に露出しないよう構成される。カバー側接合部３３ｂに設けられて連結部３４から離間する方向に延在する前記有底筒状部３５には、該連結部３４から離間する側に開放する挿入孔３９が形成されると共に、連結部３４側に臨む底部４０の略中央に、前記ビス３７のねじ軸部３７ａまたはカシメ鋲３８の軸部３８ａが挿通される通孔４０ａが穿設されている。
【００２８】
前記皿状部材３２にカバー状部材３３を組み合わせセットすると、前述のように構成された連結部３４と有底筒状部３５とは、図４〜図１２に示す如く、連結部３４におけるカシメ孔３４ａの開口側に有底筒状部３５の底部４０が整合当接すると共に、該連結部３４のカシメ孔３４ａと有底筒状部３５の通孔４０ａとが整合するよう設定されている。そして、連結部３４と有底筒状部３５とが整合した第１結合部３６に対して、有底筒状部３５の挿入孔３９側から前記ビス３７のねじ軸部３７ａを連結部３４のカシメ孔３４ａにねじ込むと共に、連結部３４と有底筒状部３５とが整合した第２結合部３６に対して、有底筒状部３５の挿入孔３９側から前記カシメ鋲３８の軸部３８ａを連結部３４のカシメ孔３４ａに圧入することで、該皿状部材３２とカバー状部材３３とが分離不能に固定されるよう構成される。
【００２９】
前記有底筒状部３５の挿入孔３９は、有底筒状部３５の底部側が大径に設定されており、開口側の小径部３９ａの内径は、前記ビス３７およびカシメ鋲３８の頭部３７ｂ,３８ｂの外径より大きく設定されており、前記皿状部材３２にカバー状部材３３を組み合わせセットした状態で、小径部３９ａを頭部３７ｂ,３８ｂが通過可能になっている。そして、前記連結部３４と有底筒状部３５とを連結固定したビス３７およびカシメ鋲３８の頭部３７ｂ,３８ｂは、挿入孔３９における大径部３９ｂに臨むよう構成される(図４〜図１２参照)。また、挿入孔３９における小径部３９ａと大径部３９ｂとの間に形成される段部４１に、後述する封印蓋４４の係合爪４９が係合して封印蓋４４の有底筒状部３５からの抜け止めがなされるようになっている。すなわち、有底筒状部３５の段部４１が、封印蓋４４の係合爪４９に係合して該封印蓋４４の有底筒状部３５からの抜き外し方向への移動を規制する被係合部として機能するよう構成される。言い替えると、有底筒状部３５の内側(挿入孔３９内)に、封印蓋４４の係合爪４９に係合して該封印蓋４４の有底筒状部３５からの抜き外し方向への移動を規制する被係合部としての段部４１が設けられている。また、小径部３９ａの内径は、封印蓋４４における係合爪４９が設けられていない部分の外径より僅かに大きく設定されて、封印蓋４４が小径部３９ａ内に僅かな隙間を介して臨み得るよう構成される。
【００３０】
前記有底筒状部３５における小径部３９ａの内面には、周方向に離間する複数箇所(実施例では１２０度間隔)で内側に突出する係合突部４２が設けられている。この係合突部４２に、後述する封印蓋４４の係合段部５０が係合して封印蓋４４の有底筒状部３５からの抜け止めがなされるようになっている。すなわち、有底筒状部３５の係合突部４２が、封印蓋４４の係合段部５０に係合して該封印蓋４４の有底筒状部３５からの抜き外し方向への移動を規制する被係合部として機能するよう構成される。言い替えると、有底筒状部３５の内側(挿入孔３９内)に、封印蓋４４の係合段部５０に係合して該封印蓋４４の有底筒状部３５からの抜き外し方向への移動を規制する被係合部としての係合突部４２が設けられている。すなわち、実施例の表示用基板ケース２７では、有底筒状部３５の内側に、２種類の被係合部としての段部４１および係合突部４２が設けられている。なお、段部４１および係合突部４２は、周方向に等間隔(実施例では６０度間隔)で交互に配置されている。また、有底筒状部３５における開口部側の端面には、周方向に離間する複数箇所(実施例では１２０度間隔)で径方向の外側から内側に向かうにつれて底部側に傾斜する傾斜案内部４３が設けられている。そして、有底筒状部３５に封印蓋４４を挿入する際に、該傾斜案内部４３に封印蓋４４の係合爪４９が当接することで、該封印蓋４４の後述する弾性片４６の内側への弾性変形を案内するようになっている。傾斜案内部４３は、前記段部４１と対応する位置に設けられている。
【００３１】
実施例の表示用基板ケース２７では、前記表示制御基板２６の不正改造や交換,変更等の不正行為の防止策として、前記結合部３６を連結固定したビス３７の頭部３７ｂおよびカシメ鋲３８の頭部３８ｂを覆って、表示用基板ケース２７の不正な開放を阻止するよう構成される。すなわち、前記有底筒状部３５の挿入孔３９に、封印蓋(封印部材)４４を取外し不能(抜け止め状態)に装着し、ビス３７の頭部３７ｂおよびカシメ鋲３８の頭部３８ｂに対して外部からのアクセスを阻止し、工具による当該ビス３７やカシメ鋲３８の不正な取り外し操作が全く不可能となるようにしてある。
【００３２】
(封印蓋４４について)
前記封印蓋４４は、前記有底筒状部３５を形成する合成樹脂材と同種の合成樹脂材で形成されている。具体的には、有底筒状部３５に対して接着剤や溶剤等によって接着可能な合成樹脂材で封印蓋４４が形成される。この合成樹脂材としては、前記ポリカーボネート(ＰＣ)が挙げられるが、その他の合成樹脂材であってもよい。また、封印蓋４４は、有底筒状部３５と異なる色に着色されて、透明な有底筒状部３５内に装着されていることが外部から認識可能になっている。なお、封印蓋４４自体は半透明で、後述する空間部４８にビス３７やカシメ鋲３８の頭部３７ｂ,３８ｂが収容されている状態が、有底筒状部３５の外側から認識し得るよう構成されている。
【００３３】
前記封印蓋４４は、前記有底筒状部３５の挿入孔３９における小径部３９ａに挿入可能な外径寸法で、全体として有底筒状部３５に対する挿入側に開口するキャップ状に形成されている。具体的に、封印蓋４４は、図１３,図１４に示す如く、円盤状の基部４５と、該基部４５における軸方向の一方の面から延出する複数の弾性片４６,４７とを備え、これら複数の弾性片４６,４７によって、有底筒状部３５に対する挿入側に開口する空間部４８が内部に設けられている。複数の弾性片４６,４７は、空間部４８を画成する周壁を構成しており、開口側および径方向に開放するスリットを介在して複数の弾性片４６,４７が周方向に離間して設けられている。そして、これら各弾性片４６,４７は、個々に径方向に弾性変形可能に構成されている。実施例では、周方向に離間して３つの第１弾性片４６が設けられると共に、周方向に隣り合う第１弾性片４６,４６の間に第２弾性片４７が夫々設けられている。すなわち、第１弾性片４６と第２弾性片４７とが周方向に交互に設けられている。また、各弾性片４６,４７における開口端側における内面に、開口端側に向かうにつれて径方向外側に偏倚するテーパ面４６ａ,４７ａが形成されている。すなわち、封印蓋４４には、前記空間部４８を画成する内面に、開口端側に向かうにつれて拡開するテーパ面４６ａ,４７ａが形成されている。
【００３４】
前記封印蓋４４の軸方向の長さは、前記有底筒状部３５と連結部３４とを連結固定したビス３７またはカシメ鋲３８の頭部３７ｂ,３８ｂの表面に前記弾性片４６,４７のテーパ面４６ａ,４７ａが当接した状態で、図４,図６,図８,図１０に示す如く、前記基部４５が挿入孔３９(小径部３９ａ)から外側に突出しない寸法に設定されている。そして、弾性片４６,４７のテーパ面４６ａ,４７ａが頭部３７ｂ,３８ｂの表面に当接した状態で、該頭部３７ｂ,３８ｂの少なくとも一部が前記空間部４８に収容されるよう構成される。言い替えると、ビス３７またはカシメ鋲３８の頭部３７ｂ,３８ｂの一部が空間部４８に収容された状態で、該頭部３７ｂ,３８ｂの表面がテーパ面４６ａ,４７ａに当接するよう構成されている。
【００３５】
前記第１弾性片４６には、図１４に示す如く、開口端側の外側に、前記有底筒状部３５の段部４１に挿入孔内において係合可能な係合爪(係合部)４９が設けられている。この係合爪４９は、前記弾性片４６,４７のテーパ面４６ａ,４７ａが頭部３７ｂ,３８ｂの表面に当接するまで封印蓋４４を挿入孔３９に挿入した状態で、該係合爪４９の全体が前記大径部３９ｂ内に臨む位置に設けられている(図６,図１０参照)。また係合爪４９は、外面が開口端側から基部側に向かうにつれて径方向の外側に偏倚する三角形状に形成されており、基部側の係合面４９ａが、前記段部４１に大径部側から係合することで、封印蓋４４の有底筒状部３５からの抜き外し方向への移動を規制し得るようになっている。
【００３６】
前記第２弾性片４７には、基部側の外側に、前記有底筒状部３５の係合突部４２に、挿入孔内において係合可能な係合段部(係合部)５０が設けられている。この係合段部５０は、第２弾性片４７および基部４５に基部側および径方向外側に開放する凹部５１を凹設することで、該凹部５１の開口端側に形成される。また係合段部５０は、前記弾性片４６,４７のテーパ面４６ａ,４７ａが頭部３７ｂ,３８ｂの表面に当接するまで封印蓋４４を挿入孔３９に挿入した状態で前記大径部３９ｂ内に臨む位置に設けられている(図６,図１０参照)。そして、係合段部５０が、前記係合突部４２に大径部側から係合することで、封印蓋４４の有底筒状部３５からの抜き外し方向への移動を規制し得るようになっている。すなわち、実施例の表示用基板ケース２７では、封印蓋４４の外側に、２種類の係合部としての係合爪４９および係合段部５０が設けられ、各係合爪４９および係合段部５０が、有底筒状部３５の対応する被係合部としての段部４１および係合突部４２に係合することで、封印蓋４４の有底筒状部３５からの抜き外し方向への移動を規制し得るように構成されている。言い替えると、有底筒状部３５の挿入孔３９に挿入された封印蓋４４は、係合爪４９および係合段部５０と、有底筒状部３５の対応する段部４１および係合突部４２とによって、該有底筒状部３５から抜け止め状態で装着される。また、第２弾性片４７における開口端側の外面に、開口端側から基部側に向かうにつれて径方向外側に偏倚する案内テーパ面４７ｂが形成されており、有底筒状部３５の挿入孔３９に封印蓋４４を挿入する際に、該案内テーパ面４７ｂが係合突部４２に当接することで第２弾性片４７を径方向内側に弾性変形させて挿入が容易化されるようにしてある。
【００３７】
前記封印蓋４４における前記係合爪４９の形成位置での最大外径は、前記有底筒状部３５における大径部３９ｂの内径より小さく設定されており、有底筒状部３５の挿入孔３９に挿入した封印蓋４４における弾性片４６,４７のテーパ面４６ａ,４７ａを前記頭部３７ｂ,３８ｂの表面に押し付けた際に、該弾性片４６,４７が径方向外側に弾性変形するのが許容されるようになっている。
【００３８】
ここで、前記封印蓋４４の係合爪４９および係合段部５０と、前記有底筒状部３５の段部４１および係合突部４２との関係をより具体的に説明する。封印蓋４４を有底筒状部３５の挿入孔３９に挿入し、該封印蓋４４における基部４５の外面のレベルを有底筒状部３５の外面に一致させた状態で、前記大径部３９ｂに位置する係合爪４９の係合面４９ａと段部４１との離間距離が約０.６ｍｍ、大径部３９ｂに位置する係合段部５０と係合突部４２との離間距離が約１.０ｍｍとなるよう設定される。そして、この状態でビス３７またはカシメ鋲３８の頭部３７ｂ,３８ｂと弾性片４６,４７との最短距離が約０.６ｍｍとなるよう設定される。また、基部４５の外面のレベルを有底筒状部３５の外面に一致させた状態において、弾性片４６,４７の先端から前記底部４０までの離間距離が約２.１ｍｍとなるよう設定される。なお、前記具体的な各距離の値は一例であって、任意に変更可能である。
【００３９】
前記有底筒状部３５の挿入孔３９に挿入した封印蓋４４は、前記空間部４８に前記ビス３７またはカシメ鋲３８の頭部３７ｂ,３８ｂが収容された状態で、該有底筒状部３５に接着固定されるよう構成される。具体的には、封印蓋４４における弾性片４６,４７のテーパ面４６ａ,４７ａを頭部３７ｂ,３８ｂの表面に押し付けて各弾性片４６,４７が径方向外側に弾性変形した状態で、封印蓋４４と有底筒状部３５の挿入孔３９との隙間に充填した接着剤によって両者４４,３５が接着固定される。すなわち、有底筒状部３５と封印蓋４４とを接着固定(装着)することで、封印蓋４４の空間部４８にビス３７またはカシメ鋲３８の頭部３７ｂ,３８ｂの少なくとも一部が収容されると共に、各弾性片４６,４７が径方向外側に弾性変形した状態に保持される。なお、前記接着固定の方法としては、例えば、表面にジクロロメタン等の溶剤を塗布した封印蓋４４を有底筒状部３５の挿入孔３９に挿入し、該溶剤によって樹脂同士を接着する方法を採用し得る。
【００４０】
前記表示制御装置２８におけるカバー状部材３３の下側縁部に、左右方向に離間して２つの板状の差込み部３３ｃ,３３ｃが外方に延出するよう形成されている。また、カバー状部材３３における上側縁部３３ａに、取着部３３ｄが形成されている。そして、カバー状部材３３の差込み部３３ｃ,３３ｃを前記液晶表示装置２３における前記表示用ケース体２５に設けた前記係合受け部２５ｂ,２５ｂに差し込んで係合すると共に、取着部３３ｄを該表示用ケース体２５の前記支持部２５ｃに整合したもとで、取着部３３ｄに設けた連結具(所謂ナイラッチ)５２を支持部２５ｃに係合して該取着部３３ｄと支持部２５ｃとを連結することで、液晶表示装置２３に表示制御装置２８が取り付けられる。なお、連結具５２による取着部３３ｄと支持部２５ｃとの連結を解除することで、表示制御装置２８は液晶表示装置２３から取り外すことができる。
【００４１】
前記表示用基板ケース２７には、ケース内に収容された前記表示制御基板２６を接地してノイズ対策を施すための接続部材５３が設けられている。この接続部材５３は、弾性変形可能な弾性部５４を導電性の被覆部５５で被覆して構成されて、全体として弾性変形可能に構成されている。そして、表側の被覆部５５を表示制御基板２６に電気的に接続すると共に、該被覆部５５を前記液晶表示装置２３の保護部材３１に接触することで、該接続部材５３を介して表示制御基板２６と保護部材３１とを電気的に接続するよう構成される。また、接続部材５３は、図１５に示す如く、外部から力が加わっていない状態において幅寸法の大きな保持部５３ａと、該保持部５３ａより幅寸法(実施例では上下寸法)が小さな突出部５３ｂとから凸形状となるように形成されている。
【００４２】
前記表示用基板ケース２７の前記皿状部材３２における前記液晶表示装置２３と対向す壁部５６には、該液晶表示装置２３に表示制御装置２８を取り付けた状態で液晶表示装置２３に設けた前記露出用開口２５ａと前後に対応する位置に、内外方向に開放する開口部５６ａが開設されている(図１８,図１９参照)。また、壁部５６の内面には、図１５に示す如く、前記開口部５６ａを囲繞するように内側に突出する規制壁５７が設けられている。この規制壁５７で囲われた収容領域５８は、開口部５６ａの開口寸法より大きく設定されると共に、前記接続部材５３の保持部５３ａの外形寸法に対応しており、前記突出部５３ｂを開口部５６ａに内側から挿通して保持部５３ａを収容領域５８に嵌合することで、接続部材５３を皿状部材３２に安定して保持可能に構成されている。また、規制壁５７の内側への突出寸法は、接続部材５３の保持部５３ａにおける前後寸法より短かく設定されており、該保持部５３ａにおける突出部側の面を壁部５６の内面に当接した状態で、該保持部５３ａの後部(突出部５３ｂとは反対側)が所定寸法だけ突出するよう構成されている。そして、保持部５３ａを収容領域５８に嵌合した状態で、皿状部材３２に前記表示制御基板２６をねじ止め固定することで、保持部５３ａの後部が表示制御基板２６に弾性的に接触するよう構成されている。すなわち、保持部５３ａが表示制御基板２６と壁部５６(表示用基板ケース２７)とで挟持されて該保持部５３ａが弾性変形することで、接続部材５３の被覆部５５がケース内で表示制御基板２６に弾性的に接触(電気的に接続)して、該接触状態を維持し得るようになっている。
【００４３】
前記接続部材５３における前記突出部５３ｂは、前記保持部５３ａを収容領域５８に嵌合した状態で、前記皿状部材３２の前記壁部５６から所定長さだけ外側に突出するよう構成される。すなわち、接続部材５３は、表示用基板ケース２７(表示制御装置２８)に位置決め保持された状態で、突出部(接続部材５３の一部)５３ｂが前記開口部５６ａから外側に突出する。そして、前記液晶表示装置２３に表示制御装置２８を取り付けることで、突出部５３ｂが前記露出用開口２５ａに露出する前記保護部材３１に接触可能に構成される。また、壁部５６からの突出部５３ｂの突出寸法が、液晶表示装置２３に表示制御装置２８を取り付けた状態での壁部５６と保護部材３１との離間寸法より大きくなるように、該突出部５３ｂの前後方向の長さ(保持部５３ａからの突出寸法)が設定されている。すなわち、液晶表示装置２３に表示制御装置２８を取り付けた状態で、図１８,図１９に示す如く、壁部５６(表示用基板ケース２７)から突出する突出部５３ｂが弾性変形することで、前記被覆部５５が保護部材３１に弾性的に接触して、該接触状態を維持し得るようになっている。
【００４４】
また、前記突出部５３ｂの外形寸法は、前記皿状部材３２の前記開口部５６ａの開口寸法より大きく設定されており、該突出部５３ｂを開口部５６ａに内側から挿通した状態で、図１６〜図１９に示す如く、該突出部５３ｂにおける保持部側の根元に皿状部材３２における開口部５６ａの周縁部が食い込むよう構成される。これにより、接続部材５３を表示用基板ケース２７に確実に保持し得るようになっている。
【００４５】
ここで、実施例のパチンコ機１０では、前記皿状部材３２(表示用基板ケース２７)における前記皿側接合部３２ｂの形成位置に近接して前記開口部５６ａが設けられている(図１５参照)。すなわち、表示用基板ケース２７において、皿状部材３２とカバー状部材３３とを連結する一方の結合部３６に近接して、前記接続部材５３が設けられるよう構成されている。また、表示用基板ケース２７における接続部材５３の配設位置は、該表示用基板ケース２７に設けられる前記取着部３３ｄに近接するように設定されている。すなわち、取着部３３ｄが前記液晶表示装置２３の支持部２５ｃに連結具５２を介して連結された状態では、表示用基板ケース２７における取着部３３ｄに近接する領域は液晶表示装置２３から離間するのが規制されており、この領域(規制領域)に接続部材５３が設けられるようになっている。
【００４６】
〔実施例の作用〕
次に、前述した実施例に係るパチンコ機の表示用基板ケースの作用につき説明する。
【００４７】
前記表示用基板ケース２７は、メーカにおけるパチンコ機１０のメイン組立ラインとは別の組立部署において、その組み立てを行う。すなわち、前記皿状部材３２における開口部５６ａに、内側から接続部材５３の突出部５３ｂを挿通して、該接続部材５３の保持部５３ａを前記収容領域５８に嵌合させる。次いで、皿状部材３２に前記表示制御基板２６をねじ止め固定することで、該皿状部材３２の壁部５６と表示制御基板２６とにより、接続部材５３の保持部５３ａが挟持される(図１６,図１７参照)。このとき、保持部５３ａが弾性変形することで、接続部材５３の被覆部５５が表示制御基板２６に弾性的に接触し、接触状態が維持される。
【００４８】
前記接続部材５３が配設された皿状部材３２の開口面側に合わせてカバー状部材３３を組み合わせセットすると、前記２つの結合部３６,３６における各連結部３４と対応する有底筒状部３５の底部４０とが整合すると共に、連結部３４のカシメ孔３４ａと底部４０の通孔４０ａとが整合する。この状態で、第１結合部３６における有底筒状部３５の挿入孔３９に挿入したビス３７のねじ軸部３７ａをカシメ孔３４ａにねじ込むことで、連結部３４を底部４０に連結固定する(図４,図５,図７参照)。また、第２結合部３６における有底筒状部３５の挿入孔３９に挿入したカシメ鋲３８の軸部３８ａをカシメ孔３４ａに圧入することで、連結部３４を底部４０に連結固定する(図９,図１１参照)。このように、２つの結合部３６,３６を対応するビス３７およびカシメ鋲３８で夫々連結固定することで、皿状部材３２とカバー状部材３３とが連結される。なお、皿状部材３２とカバー状部材３３とを組み合わせセットする際には、前記接続部材５３の保持部５３ａは皿状部材３２の壁部５６と表示制御基板２６とで挟持されているので、該接続部材５３が皿状部材３２から簡単に脱落することはなく、皿状部材３２とカバー状部材３３との組み付けに際して接続部材５３が落脱しないように気を付けて作業を行う必要はなく、作業性がよい。更に、接続部材５３における突出部５３ｂの外形寸法を、前記開口部５６ａの開口寸法より小さくして、該突出部５３ｂに、皿状部材３２における開口部５６ａの周縁部を食い込ませるよう構成したので、接続部材５３を皿状部材３２に確実に保持することができ、接続部材５３の脱落をより確実に防止し得る。
【００４９】
前記ビス３７またはカシメ鋲３８で連結固定された結合部３６における有底筒状部３５の挿入孔３９に、前記各係合爪４９を対応する傾斜案内部４３に合わせた状態で前記封印蓋４４を弾性片４６,４７側から挿入すると、該傾斜案内部４３に案内されて対応する第１弾性片４６が内側に弾性変形する。また、封印蓋４４の第２弾性片４７の案内テーパ面４７ｂが対応する係合突部４２に当接することで、該第２弾性片４７も内側に弾性変形する。すなわち、各弾性片４６,４７が径方向の内側に夫々弾性変形することで封印蓋４４の挿入側が縮径し、該封印蓋４４の挿入孔３９への容易な挿入が図られる。そして、係合爪４９の係合面４９ａが挿入孔３９の大径部３９ｂに至ると共に、係合突部４２が凹部５１に至ると、各弾性片４６,４７は弾性により無負荷状態に復元して、係合爪４９が前記段部４１に大径部３９ｂ側から係合可能な状態になると共に、係合段部５０が係合突部４２に大径部３９ｂ側から係合可能な状態となる。すなわち、封印蓋４４は、係合爪４９と段部４１および係合段部５０と係合突部４２によって有底筒状部３５の挿入孔３９からの抜き外し方向への移動が規制された状態で、該有底筒状部３５に装着される。
【００５０】
前記封印蓋４４における基部４５の外面が有底筒状部３５の外面に一致する位置から該封印蓋４４を更に挿入孔３９に押し込むことで、前記弾性片４６,４７の先端をビス３７またはカシメ鋲３８の頭部３７ｂ,３８ｂに押し付ける。これにより、各弾性片４６,４７が径方向の外側に弾性変形すると共に、該頭部３７ｂ,３８ｂの一部が前記空間部４８に収容される。この状態を保持したまた接着剤によって封印蓋４４を有底筒状部３５に接着固定することで、前記皿状部材３２およびカバー状部材３３は不正開放不能に封印される(図６,図８,図１０,図１２参照)。
【００５１】
実施例の表示用基板ケース２７では、前記有底筒状部３５内に封印蓋４４を装着し、該封印蓋４４でビス３７またはカシメ鋲３８の頭部３７ｂ,３８ｂを覆うことで、不正を企てる者がビス３７またはカシメ鋲３８に対して直接アクセスするのを防止して不正行為を抑制することができる。また、ビス３７またはカシメ鋲３８における頭部３７ｂ,３８ｂの少なくとも一部を封印蓋４４の空間部４８に収容するので、該頭部３７ｂ,３８ｂへのアクセスを更に困難にすることができ、より高い不正防止効果が得られる。
【００５２】
また、前記有底筒状部３５内に封印蓋４４を接着固定して、前記弾性片４６,４７のテーパ面４６ａ,４７ａがビス３７およびカシメ鋲３８の頭部表面に当接した状態に保持されるので、封印蓋４４の弾性片４６,４７と頭部３７ｂ,３８ｂとの間から不正のための工具が頭部側に侵入されるのを抑制することができる。しかも、頭部３７ｂ,３８ｂに押し付けられて径方向外側に弾性変形している弾性片４６,４７は、自身の弾性によって頭部３７ｂ,３８ｂに弾性的に当接して密着しているので、封印蓋４４と頭部３７ｂ,３８ｂとの間からの不正工具の頭部側への侵入防止効果がより高くなり、高い不正防止効果が得られる。
【００５３】
更に、実施例の表示用基板ケース２７では、前記有底筒状部３５に封印蓋４４が接着固定されるので、外部からビス３７およびカシメ鋲３８にアクセスするまでに要する時間を稼ぐことができ、より高い不正防止効果が得られる。有底筒状部３５に接着固定された封印蓋４４は、図６,図８,図１０,図１２に示す如く、該挿入孔３９内に完全に収容されて外側に突出しないので、ペンチ等の工具を用いて封印蓋４４を把持して抜き外す不正行為を防止し得る。また、封印蓋４４と有底筒状部３５との隙間からマイナスドライバー等の工具を差し込んで封印蓋４４を抜き外す行為に対しても高い防犯性を有する。なお、仮に有底筒状部３５と封印蓋４４との接着状態が解除されたとしても、封印蓋４４は有底筒状部３５における大径部３９ｂ内において係合爪４９と段部４１および係合段部５０と係合突部４２とにより、複数箇所で封印蓋４４の有底筒状部３５からの抜き外し方向への移動を規制するよう構成されているので、有底筒状部３５から封印蓋４４が抜き外されるのを確実に防ぐことができる。すなわち、有底筒状部３５内に装着された封印蓋４４を不正に抜き外そうという行為に対し、該封印蓋４４は高い防御力を有している。
【００５４】
また、実施例の表示用基板ケース２７では、前記連結部３４と有底筒状部３５とを連結固定する固定具として、固定形態が異なるビス３７およびカシメ鋲３８を用いているので、仮に固定具３７,３８の頭部３７ｂ,３８ｂにアクセスできたとしても、固定具３７,３８の種類に応じた形態で複数種類の固定具３７,３８を抜き外さなければならず、時間が掛かることにより不正防止効果を向上し得る。
【００５５】
前述したように、不正開放不能に封印された表示用基板ケース２７は、図１に示すように、前記液晶表示装置２３に装着セットされて使用に供される。すなわち、液晶表示装置２３における前記表示用ケース体２５に設けた前記係合受け部２５ｂ,２５ｂに表示用基板ケース２７の差込み部３３ｃ,３３ｃを差し込んで係合すると共に、前記取着部３３ｄを表示用ケース体２５の前記支持部２５ｃに整合したもとで、取着部３３ｄに設けた連結具５２を支持部２５ｃに係合することで、液晶表示装置２３に表示制御装置２８が取り付けられる。液晶表示装置２３に表示制御装置２８を取り付けた状態で、図１８,図１９に示す如く、該表示制御装置２８から液晶表示装置２３側に突出する接続部材５３の突出部５３ｂが、前記表示用ケース体２５の露出用開口２５ａを介して前記保護部材３１に接触する。接続部材５３は弾性変形可能に構成されると共に、突出部５３ｂの表示制御装置２８(表示用基板ケース２７からの突出寸法は、液晶表示装置２３に取り付けた表示用基板ケース２７(皿状部材３２の壁部５６)から保護部材３１までの離間距離より長く設定されているので、突出部５３ｂが弾性変形して被覆部５５が保護部材３１に弾性的に接触する。すなわち、接続部材５３は、前記表示制御基板２６および保護部材３１の何れに対しても被覆部５５が弾性的に接触するので、該接触状態を好適に維持することができる。
【００５６】
前述したように、前記液晶表示装置２３に表示制御装置２８を取り付けた状態で、表示制御基板２６は接続部材５３を介して保護部材３１に電気的に接続されているので、該表示制御基板２６に帯電する静電気を接続部材５３を介して保護部材３１に逃すことができる。保護部材３１は、前記液晶用リード線および中枠１２を介して前記電源装置１８に電気的に接続されているから、保護部材３１に伝わった静電気を電源装置１８に逃すことができる。すなわち、液晶表示装置２３の後側に取り付けられている表示制御装置２８の表示制御基板２６に実装されている各種電子部品が、ノイズに起因して誤作動するのを防止し得る。従って、静電気に起因して液晶表示装置２３での演出に不具合が発生することはなく、遊技者が不利益を被ったり混乱するのを防止し得る。
【００５７】
実施例のパチンコ機１０では、表示制御装置２８を液晶表示装置２３に取り付けるだけで、前記電源装置１８に電気的に接続されている前記保護部材３１と表示制御基板２６とを接続部材５３を介して電気的に接続することができ、表示制御基板２６を短時間で簡単に接地できる。すなわち、表示制御基板２６の接地作業が簡単で手間が掛からない。また、接続部材５３が弾性的に保護部材３１に接触するので、接地状態を維持してノイズに起因する悪影響が表示制御装置２８に及ぶのを防止し得る。なお、前記表示用基板ケース２７に対して接続部材５３は、前記取着部３３ｄが連結具５２を介して液晶表示装置２３の支持部２５ｃに連結される位置に近接しているので、接続部材５３が前記保護部材３１から離間する方向への表示用基板ケース２７の変位が該連結具５２で規制されて、接続部材５３の保護部材３１に対する接触状態を維持し得る。
【００５８】
(変更例)
本願は前述した実施例の構成に限定されるものではなく、その他の構成を適宜に採用することができる。
(1) 実施例では、皿状部材とカバー状部材を固定する固定具としてビスとカシメ鋲とを用いた場合で説明したが、固定具としては、その他の固定形態のものを採用することができる。また、基板ケースに設ける結合部の数は２つに限らず、３つ以上であってもよく、３つ以上の結合部を設ける場合に、全ての結合部において固定形態が異なる固定具を用いたり、一部が同じ固定形態の固定具を用いることができる。
(2) 実施例では、皿状部材に連結部を設け、カバー状部材に有底筒状部を設けた場合で説明したが、実施例とは逆に皿状部材に有底筒状部を設け、カバー状部材に連結部を設けてもよい。
(3) 実施例では、封印蓋に２種類の弾性片を設けた場合で説明したが、弾性片の種類は１種類であっても、３種類以上であってもよい。また、弾性片の数についても、６つに限らず２つ以上であればよい。
(4) 実施例では、封印蓋の基部に、周方向に分かれた複数の弾性片を設けたが、封印蓋における基部に連設される部分については、空間部を画成する周壁が分かれていない筒状に形成されたものであってもよい。そして、基部に連設される部分を筒状とした場合に、筒状部の内面における開口端側の全周に、開口端側に向かうにつれて拡開するテーパ面を形成すれば、該テーパ面が固定具の頭部に対して隙間なく環状に当接して防犯効果を高くすることができる。
(5) 実施例では、有底筒状部と封印蓋とを接着固定するよう構成したが、固定具における頭部の少なくとも一部が封印蓋の空間部に収容された状態に該封印蓋を保持し得る係止手段を有底筒状部および封印蓋に設け、空間部に頭部の一部が収容されるまで封印蓋を有底筒状部に押し込んだときに係止手段によって該封印蓋が移動不能に係止される構成を採用し得る。
【００５９】
(6) 実施例では、基板ケースとして表示制御基板が収容される表示用基板ケースを挙げたが、メイン制御基板が収容されるメイン用基板ケース、払出し制御基板が収容される払出し用基板ケース、演出制御基板が収容される演出用基板ケース等、基板ケースとしては各種の制御基板を収容したものであればよい。
(7) 実施例では、接続部材が設けられる制御装置として表示制御装置を挙げたが、該制御装置としては、メイン制御装置、払出し制御装置、演出制御装置等であってもよい。
(8) 実施例では、接続部材が設けられる制御装置が取り付けられる設置部として液晶表示装置を挙げたが、設置部材や中枠を設置部として制御装置を取り付けるように構成してもよい。そして、設置部材や中枠を設置部とした場合に、該設置部材や中枠における制御装置の取着領域に、電源装置等の接地手段に電気的に接続する導電性のアース部を設け、設置部材や中枠に対して制御装置を取り付けることで、該制御装置に設けられている接続部材がアース部に弾性的に接触するように構成すればよい。
(9) 実施例では、基板ケースに１つの接続部材を設けた場合で説明したが、該接続部材を複数箇所に設けると共に、設置部の対応箇所に接続部材が弾性的に接触するアース部を夫々設ける構成を採用し得る。
(10) 実施例では、固定形態が異なる複数種類の固定具を用いた場合で説明したが、１種類の固定具によって複数箇所の結合部における連結部と有底筒状部とを連結固定する構成を採用し得る。
(11) 実施例では、遊技機としてパチンコ機を例示して説明したが、これに限られるものではなく、アレンジボール機やピンボール機、スロットマシン機等の各種遊技機を採用し得る。
【符号の説明】
【００６０】
２３  液晶表示装置(遊技機構成装置)
２６  表示制御基板(制御基板)
３２  皿状部材
３３  カバー状部材
３４  連結部
３５  有底筒状部
３７  ビス(固定具)
３７ｂ  頭部
３８  カシメ鋲(固定具)
３８ｂ  頭部
４１  段部(被係合部)
４２  係合突部(被係合部)
４４  封印蓋
４６  第１弾性片(弾性片)
４６ａ  テーパ面
４７  第２弾性片(弾性片)
４７ａ  テーパ面
４８  空間部
４９  係合爪(係合部)
５０  係合段部(係合部)
【図１】
0006501729.tif 000002
【図２】
0006501729.tif 000003
【図３】
0006501729.tif 000004
【図４】
0006501729.tif 000005
【図５】
0006501729.tif 000006
【図６】
0006501729.tif 000007
【図７】
0006501729.tif 000008
【図８】
0006501729.tif 000009
【図９】
0006501729.tif 000010
【図１０】
0006501729.tif 000011
【図１１】
0006501729.tif 000012
【図１２】
0006501729.tif 000013
【図１３】
0006501729.tif 000014
【図１４】
0006501729.tif 000015
【図１５】
0006501729.tif 000016
【図１６】
0006501729.tif 000017
【図１７】
0006501729.tif 000018
【図１８】
0006501729.tif 000019
【図１９】
0006501729.tif 000020